(57)【要約】      （修正有） 【課題】増毛用材料の取り出しが容易であり、かつ多くの増毛用材料を保持可能な増毛用補助器具を提供する。【解決手段】シート状部材４と、シート状部材４の一方の面に設けられた、増毛用材料Ｍを着脱可能な保持手段２０と、シート状部材４が延展する第１の方向Ｘの両端部に設けられた着脱可能な接続部材１０Ａ，１０Ｂと、を備え、保持手段２０が内側に配置されるように、第１の方向Ｘに沿ってシート状部材を湾曲させ、または第１の方向Ｘと交差する第２の方向Ｙに伸びた折れ線６Ａ〜６Ｃで折り曲げて、接続部材１０Ａ、１０Ｂどうしを重ねて接続することにより、シート状部材４の第２の方向Ｙの両端部が開口した立体構造が形成される。【選択図】図１
0003209296.tif 000002
【実用新案登録請求の範囲】
【請求項１】
シート状部材と、
前記シート状部材の一方の面に設けられた、増毛用材料を着脱可能な保持手段と、
前記シート状部材が延展する第１の方向の両端部に設けられた着脱可能な接続部材と、
を備え、
前記保持手段が内側に配置されるように、前記第１の方向に沿って前記シート状部材を湾曲させ、または前記第１の方向と交差する第２の方向に伸びた折れ線で折り曲げて、前記接続部材どうしを重ねて接続することにより、前記シート状部材の前記第２の方向の両端部が開口した立体構造が形成されることを特徴とする増毛用補助器具。
【請求項２】
前記立体構造が、前記第２の方向の両端部が開口した角柱、角錐、円柱及び円錐のうちの何れかの形状を有することを特徴とする請求項１に記載の増毛用補助器具。
【請求項３】
前記立体構造が角柱または角錐の形状を有し、
前記シート状部材の前記第２の方向の少なくとも一方の端部から所定の距離離れた位置に設けられた前記第１の方向に伸びる折れ線で、前記シート状部材を前記立体構造の外側方向に折り曲げることにより、前記立体構造の開口から外側に広がった開口サポートが形成されることを特徴とする請求項２に記載の増毛用補助器具。
【請求項４】
使用状態において、前記立体構造の前記第２の方向の一方の端部の開口が前記立体構造の設置面に位置し、前記第２の方向の他方の端部に前記開口サポートが設けられ、前記保持手段により保持された増毛用材料が前記他方の開口から前記立体構造の外側へ伸びていることを特徴とする請求項３に記載の増毛用補助器具。
【考案の詳細な説明】
【技術分野】
【０００１】
本考案は、増毛用材料を装着者の自毛に結びつける増毛作業を補助するための増毛用補助器具に関する。
【背景技術】
【０００２】
増毛用材料を装着者の自毛に結びつける増毛作業を行うときの作業効率を上げるため、作業者の手元に複数の増毛用材料を保持することができる器具が提案されている（例えば、特許文献１参照）。
【先行技術文献】
【特許文献】
【０００３】
【特許文献１】登録実用新案公報３１９９０３号
【考案の概要】
【考案が解決しようとする課題】
【０００４】
特許文献１に記載の器具では、増毛用材料を吸着保持する吸着保持部を有する第１のシートと折れ線で繋がった第２のシートとが重ねられた状態で、増毛用材料が保持されている。よって、増毛用材料を取り出すのが容易ではなく、取り出す間に第２のシートと干渉して、増毛用材料を破損する虞がある。また、吸着保持部が第１のシートにだけ備えられているので、保持できる増毛用材料の数は限りがある。
【０００５】
本考案は、上記の課題を解決するものであり、増毛用材料の取り出しが容易であり、かつ多くの増毛用材料を保持可能な増毛用補助器具を提供することを目的とする。
【課題を解決するための手段】
【０００６】
上記の課題を解決するため、本考案の１つの実施態様に係る増毛用補助器具は、
シート状部材と、
前記シート状部材の一方の面に設けられた、増毛用材料を着脱可能な保持手段と、
前記シート状部材が延展する第１の方向の両端部に設けられた着脱可能な接続部材と、
を備え、
前記保持手段が内側に配置されるように、前記第１の方向に沿って前記シート状部材を湾曲させ、または前記第１の方向と交差する第２の方向に伸びた折れ線で折り曲げて、前記接続部材どうしを重ねて接続することにより、前記シート状部材の前記第２の方向の両端部が開口した立体構造が形成される。
【考案の効果】
【０００７】
以上のように、本考案においては、増毛用材料の取り出しが容易であり、かつ多くの増毛用材料を保持可能な増毛用補助器具を提供することができる。
【図面の簡単な説明】
【０００８】
【図１】本考案の第１の実施形態に係る増毛用補助器具の展開形状を模式的に示す平面図である。
【図２】図１に示す増毛用補助器具を組み立てて形成された立体構造を模式的に示す斜視図ある。
【図３】本考案の第２の実施形態に係る増毛用補助器具の展開形状を模式的に示す平面図である。
【図４】図３に示す増毛用補助器具を組み立てて形成された立体構造を模式的に示す斜視図ある。
【図５】本考案の第３の実施形態に係る増毛用補助器具の展開形状を模式的に示す平面図である。
【図６】図５に示す増毛用補助器具を組み立てて形成された立体構造を模式的に示す斜視図ある。
【図７】本考案の第４の実施形態に係る増毛用補助器具の展開形状を模式的に示す平面図である。
【図８】図７に示す増毛用補助器具を組み立てて形成された立体構造を模式的に示す斜視図ある。
【考案を実施するための形態】
【０００９】
本考案の実施態様１に係る増毛用補助器具は、
シート状部材と、
前記シート状部材の一方の面に設けられた、増毛用材料を着脱可能な保持手段と、
前記シート状部材が延展する第１の方向の両端部に設けられた着脱可能な接続部材と、
を備え、
前記保持手段が内側に配置されるように、前記第１の方向に沿って前記シート状部材を湾曲させ、または前記第１の方向と交差する第２の方向に伸びた折れ線で折り曲げて、前記接続部材どうしを重ねて接続することにより、前記シート状部材の前記第２の方向の両端部が開口した立体構造が形成される。
【００１０】
本実施態様では、端部が開口した立体構造の中に増毛用材料を保持することができるので、増毛用材料の取り出しが容易である。また、立体構造の内側面に設けられた保持手段により、多くの増毛用材料を保持することができる。
【００１１】
本考案の実施態様２に係る増毛用補助器具は、上記の実施態様１において
前記立体構造が、前記第２の方向の両端部が開口した角柱、角錐、円柱及び円錐のうちの何れかの形状を有する。
【００１２】
本実施態様では、角柱、角錐、円柱または円錐の形状を有するので、増毛用材料の取り出しが容易であり、かつ多くの増毛用材料を確実に保持することができる。
【００１３】
本考案の実施態様３に係る増毛用補助器具は、上記の実施態様２において
前記立体構造が角柱または角錐の形状を有し、
前記シート状部材の前記第２の方向の少なくとも一方の端部から所定の距離離れた位置に設けられた前記第１の方向に伸びる折れ線で、前記シート状部材を前記立体構造の外側方向に折り曲げることにより、立体構造の開口に外側に広がった開口サポートが形成される。
【００１４】
本実施態様では、立体構造の開口に外側に広がった開口サポートが形成されるので、使用状態において、上側の開口に開口サポートが形成されている場合には、増毛用材料を取り出す際のサポートとして用いることができる。また、使用状態において、立体構造の載置面側に位置する下側の開口に開口サポートが形成されている場合には、立体構造が倒れるのを防ぐ支持サポートとして用いることができる。
【００１５】
本考案の実施態様４に係る増毛用補助器具は、上記の実施態様３において
使用状態において、前記立体構造の前記第２の方向の一方の端部の開口が前記立体構造の設置面に位置し、前記第２の方向の他方の端部に前記開口サポートが設けられ、前記保持手段により保持された増毛用材料が前記他方の開口から前記立体構造の外側へ伸びている。
【００１６】
本実施態様では、保持手段により保持された増毛用材料が、開口サポートが設けられた開口から立体構造の外側へ伸びているので、増毛用材料を容易に取り出すことができる。
【００１７】
次に、本考案の実施形態に係る増毛用補助器具について、以下に図面を用いながら詳細に説明する。  
【００１８】
(第１の実施形態に係る増毛用補助器具の説明）
はじめに、図１及び図２を参照ながら、本考案の第１の実施形態に係る増毛用補助器具の説明を行う。図１は、本考案の第１の実施形態に係る増毛用補助器具２の展開形状を模式的に示す平面図である。図２は、図１に示す展開状態の増毛用補助器具を組み立てて形成された立体構造を模式的に示す斜視図ある。なお、全ての図面において、同じ機能を有する対応部材については、同じ参照番号を記載する。
【００１９】
増毛用補助器具２は、シート状部材４から主に構成される。図１に示すように、シート状部材４の一方の面には、点線で示すような増毛用材料Ｍを着脱可能な保持手段２０が備えられている。本実施形態に係る保持手段２０は粘着層を有し、粘着層により増毛用材料Ｍを保持することができ、また小さな力で、保持された増毛用材料Ｍを粘着層から取り外すことができるようになっている。
増毛用材料Ｍは、通常、縮小可能なループ部を有し、増毛作業においては、装着者の自毛にループ部を通した後、ループ部を縮小させて増毛用材料を自毛に結びつけることができる。
【００２０】
シート状部材４は、本体用折れ線６Ａ〜６Ｃで区切られた４つの台形の面部で主に構成され、その両端には、接続部材１０が備えられている。本実施形態に係る接続部材１０は、凸部分１０Ａ及び凹部分１０Ｂから構成されるスナップ機構を備えている。シート状部材４の図面左側の端部には、折れ線８Ａを介して接続用領域８が繋がっており、凸部分１０Ａは接続用領域８に取り付けられている。一方、凹部分１０Ｂは、図面右端に配置された台形の面部の端部領域に（図面で裏側に）取り付けられている。
【００２１】
このような展開状態の増毛用補助器具２を組み立てる場合には、保持手段２０が内側に配置されるように、シート状部材４を折れ線６Ａ〜６Ｃで（図面手前側に）折り曲げて、両側の接続部材１０Ａ、１０Ｂが重なるようにする。つまり、凸部分１０Ａを有する接続用領域８が、凹部分１０Ｂを有する面部を外側から覆うように重ねて、凸部分１０Ａを凹部分１０Ｂに挿入してスナップ接続する。これにより、図２に示すような四角錐形状の立体構造を形成することができる。この場合、保持手段２０が取り付けられた台形の４つの面部が立体構造の内側面となる。
【００２２】
別の表現をすれば、シート状部材４が延展する方向（つまり折れ線６Ａ〜６Ｃを介して面部が繋がって伸びている方向）を、矢印Ｘで示す第１の方向とすると、保持手段２０が内側に配置されるように、シート状部材４を第１の方向Ｘと交差する矢印Ｙで示す第２の方向に伸びた折れ線６Ａ〜６Ｃで折り曲げて、接続部材１０Ａ、１０Ｂどうしを重ねて接続することにより、シート状部材４の第２の方向Ｙの両端部が開口した立体構造が形成される。なお、凸部分１０及び凹部分１０Ｂの凹凸が、逆に配置されていてもよい。また、凹部分１０Ｂを有する面部が、凸部分１０を有する接続用領域８を外側から覆うように重ねるようにしてもよい。
【００２３】
本実施形態に係るシート状部材４には、第２の方向Ｙの少なくとも一方の端部（図１では図面上側の端部）から所定の距離Ｌ離れた位置に、第１の方向Ｘに伸びる開口サポート用折れ線３２Ａ〜３２Ｄが設けられている。これらの折れ線３２Ａ〜３２Ｄで、シート状部材４を立体構造の外側方向（つまり、図１で図面奧側）に折り曲げることにより、図２に示すように、立体構造の上部の開口から外側に広がった開口サポート３０Ａ〜３０Ｄが形成される。
【００２４】
本実施形態に係るシート状部材４は、紙材料から構成されているが、これに限られるものではなく、樹脂材料等を用いることもできる。本実施形態に係る接続部材１０は、上記のようにスナップ機構が採用されているが、これに限られるものではなく、例えば、面ファスナや粘着テープ等を用いることもできる。
【００２５】
本実施形態に係る保持手段２０は、上記のように粘着層を有するが、これに限られるものではなく、吸着層を有する場合もあり得る。また、図１に示すように、本実施形態では、１つの台形の面部に、保持手段２０が１カ所取り付けられているが、これに限られるものではなく、図３に示す場合と同様に、保持手段２０を上下２カ所に取り付けることもできる。
更に、保持手段２０がポケットのような構造を有しており、増毛用材料Ｍをポケットから出し入れするような構成も考えられる。
【００２６】
本実施形態では、四角錐の形状を有する立体構造が形成されているが、これに限られるものではなく、三角錐や五角錐以上の多角錐の形状を有する立体構造が形成されるような増毛用補助器具２を採用することもできる。
【００２７】
以上のように、本実施形態に係る増毛用補助器具２では、端部が開口した立体構造の中に増毛用材料Ｍを保持することができるので、増毛用材料Ｍの取り出しが容易である。また、立体構造の内側面に設けられた保持手段２０により、多くの増毛用材料Ｍを保持することができる。
【００２８】
更に、本実施形態では、使用状態において、立体構造の上側の開口に外側に広がった開口サポート３０Ａ〜３０Ｄが形成されるので、使用状態において、増毛用材料Ｍを取り出す際のサポートとして用いることができる。特に、保持手段２０により保持された増毛用材料Ｍが、開口サポート３０Ａ〜３０Ｄが設けられた開口から立体構造の外側へ伸びているので、増毛用材料Ｍを容易に取り出すことができる。
なお、使用状態において、立体構造の下側の開口に外側に広がった開口サポートを形成することもできる。この場合には、外側に広がった開口サポートが設置面と接して、立体構造が倒れるのを防ぐ支持サポートとして機能する。
【００２９】
(第２の実施形態に係る増毛用補助器具の説明）
次に、図３及び図４を参照ながら、本考案の第２の実施形態に係る増毛用補助器具の説明を行う。図３は、本考案の第２の実施形態に係る増毛用補助器具２の展開形状を模式的に示す平面図である。図４は、図３に示す展開状態の増毛用補助器具を組み立てて形成された立体構造を模式的に示す斜視図ある。
【００３０】
本実施形態に係る増毛用補助器具２のシート状部材４が、折れ線６Ａ〜６Ｃを介して繋がった４つの長方形の面部で主に構成されており（図３参照）、このシート状部材４を組み立てることにより、四角柱の形状を有する立体構造が形成される点（図４参照）で、上記の第１の実施形態と異なる。
【００３１】
また、本実施形態に係るシート状部材４の各面部には、保持手段２０が上下２カ所に取り付けられている点で、上記の第１の実施形態と異なる。更に、本実施形態に係る接続部材１０Ａ’、１０Ｂ’が、面ファスナから構成される点で、上記の第１の実施形態と異なる。
【００３２】
本実施形態においても、保持手段２０が内側に配置されるように、シート状部材４を第２の方向Ｙに伸びた折れ線６Ａ〜６Ｃで折り曲げて、接続部材１０Ａ、１０Ｂどうしを重ねて接続することにより、シート状部材２の第２の方向Ｙの両端部が開口した四角柱の形状を有する立体構造が形成される。本実施形態においても、上記の第１の実施形態と同様な作用効果を奏する。
その他については、基本的に上記の第１の実施形態と同様であり、更なる説明は省略する。
【００３３】
なお、本実施形態では、四角柱の形状を有する立体構造が形成されているが、これに限られるものではなく、三角柱や五角柱以上の多角柱の形状を有する立体構造が形成されるような増毛用補助器具２を採用することもできる。
【００３４】
(第３の実施形態に係る増毛用補助器具の説明）
次に、図５及び図６を参照ながら、本考案の第３の実施形態に係る増毛用補助器具の説明を行う。図５は、本考案の第３の実施形態に係る増毛用補助器具２の展開形状を模式的に示す平面図である。図６は、図５に示す展開状態の増毛用補助器具を組み立てて形成された立体構造を模式的に示す斜視図ある。
【００３５】
本実施形態に係る増毛用補助器具２のシート状部材４が、扇形の連続した面部で主に構成されており（図５参照）、このシート状部材４を組み立てることにより、円錐の形状を有する立体構造が形成される（図６参照）点で、上記の第１の実施形態と異なる。本実施形態では折れ線を有しないので、第１の方向Ｘに沿ってシート状部材４を湾曲させ、接続部材１０Ａ、１０Ｂどうしを重ねて接続することにより、シート状部材２の第２の方向Ｙの両端部が開口した立体構造が形成される。
【００３６】
立体構造の側面部が曲面となるため、折れ線が形成されず、基本的に開口サポートが形成されない。本実施形態においても、開口サポートを除き、上記の第１の実施形態と同様な作用効果を奏する。その他については、基本的に上記の第１の実施形態と同様であり、更なる説明は省略する。
【００３７】
(第４の実施形態に係る増毛用補助器具の説明）
次に、図７及び図８を参照ながら、本考案の第４の実施形態に係る増毛用補助器具の説明を行う。図７は、本考案の第４の実施形態に係る増毛用補助器具２の展開形状を模式的に示す平面図である。図８は、図７に示す展開状態の増毛用補助器具を組み立てて形成された立体構造を模式的に示す斜視図ある。
【００３８】
本実施形態に係る増毛用補助器具２のシート状部材４が、長方形の連続した面部で主に構成されており（図７参照）、このシート状部材４を組み立てることにより、円柱の形状を有する立体構造が形成される（図８参照）点で、上記の第１の実施形態と異なる。本実施形態でも折れ線を有しないので、第１の方向Ｘに沿ってシート状部材４を湾曲させ、接続部材１０Ａ、１０Ｂどうしを重ねて接続することにより、シート状部材２の第２の方向Ｙの両端部が開口した立体構造が形成される。
【００３９】
本実施形態でも、開口サポートは形成されていない。本実施形態においても、開口サポートを除き、上記の第１の実施形態と同様な作用効果を奏する。その他については、基本的に上記の第１の実施形態と同様であり、更なる説明は省略する。
【００４０】
以上のように、上記の各実施形態では、組み立てられた立体構造が、角柱、角錐、円柱または円錐の形状を有するので、増毛用材料Ｍの取り出しが容易であり、かつ多くの増毛用材料Ｍを確実に保持することができる。
【００４１】
本考案の実施の形態を説明したが、開示内容は構成の細部において変化してもよく、実施の形態における要素の組合せや順序の変化等は請求された本考案の範囲および思想を逸脱することなく実現し得るものである。
【符号の説明】
【００４２】
２            増毛用補助器具
４            シート状部材
６、６Ａ〜Ｃ  本体用折れ線
８            接続用領域
８Ａ          折れ線
１０、１０’  接続部材
１０Ａ        凸部分
１０Ｂ        凹部分
２０          保持手段
３０、３０Ａ〜Ｃ  開口サポート
３２、３２Ａ〜Ｃ  開口サポート用折れ線
Ｘ            第１の方向
Ｙ            第２の方向
【図１】
0003209296.tif 000003
【図２】
0003209296.tif 000004
【図３】
0003209296.tif 000005
【図４】
0003209296.tif 000006
【図５】
0003209296.tif 000007
【図６】
0003209296.tif 000008
【図７】
0003209296.tif 000009
【図８】
0003209296.tif 000010